(57)【要約】本発明は、ファッションアクセサリの内部を照らすための装置、およびそのファッションアクセサリを組み立てる方法を含む。照明デバイスは、互いに電気的に結合されているデュアル照明光源、電源およびスイッチを含み得る。デュアル照明光源は、ファッションアクセサリの内部に貼り付けられた電気ルミネセントワイヤの対になり得る。スイッチは、ファッションアクセサリが開いている場合、デュアル照明光源が照ることをもたらし得、ファッションアクセサリが閉じられている場合、オフにされることをもたらし得る。照明デバイスの様々な要素は、ファッションアクセサリの裏地の裏に様々な要素を含みことによって視界から見えにくくし得、かつ照明光源は、所望の色の照明を提供するために任意の適した色から選択され得る。さらに、電源は充電可能になり得、かつ、さらなる電子デバイスに電力を供給するように構成され得る。
2008516738.tif 000002
【特許請求の範囲】
【請求項１】
ファッションアクセサリの内部を照らすための照明装置を有するファッションアクセサリであって、
第１の照明光源および第２の照明光源を含むデュアル照明光源と、
二股ワイヤによって該デュアル照明光源に電気的に結合されている電源と、
該照明光源に電気的に結合されているスイッチと
を備える、ファッションアクセサリ。
【請求項２】
前記デュアル照明光源が、電気ルミニセントワイヤの対を含む、請求項１に記載のファッションアクセサリ。
【請求項３】
前記スイッチが「オン」の位置にある場合、前記照明光源がアクティブにされ、かつ該スイッチが「オフ」の位置にある場合、該照明光源が非アクティブにされる、請求項１に記載のファッションアクセサリ。
【請求項４】
前記照明光源がアクティブにされた場合、該照明光源は色を有して輝く、請求項３に記載のファッションアクセサリ。
【請求項５】
前記ファッションアクセサリが開いている場合、前記スイッチが前記「オン」の位置にあり、かつ該ファッションアクセサリが閉じられている場合、該スイッチが前記「オフ」の位置にある、請求項４に記載のファッションアクセサリ。
【請求項６】
前記スイッチが磁気リードスイッチである、請求項１に記載のファッションアクセサリ。
【請求項７】
前記電源と前記デュアル照明光源との間に構成されいるインバータであって、該電源および該デュアル照明光源に電気的に結合されているインバータをさらに備える、請求項１に記載のファッションアクセサリ。
【請求項８】
前記照明装置が、前記ファッションアクセサリの一部によって視界から隠されている、請求項１に記載のファッションアクセサリ。
【請求項９】
前記ファッションアクセサリがフレームを含み、かつ前記電気ルミニセントワイヤが該フレームによって該ファッションアクセサリ内の適切な場所に固定されている、請求項２に記載のファッションアクセサリ。
【請求項１０】
パース、ハンドバッグ、ポケットブック、札入れ、バックパック、ブリーフケース、学生かばん、１個の小型旅行かばん、スーツケース、サングラスのためのケースおよび化粧品のためのケースから成る群から選択される、請求項１に記載のファッションアクセサリ。
【請求項１１】
前記電源が充電可能電源である、請求項１に記載のファッションアクセサリ。
【請求項１２】
前記充電可能電源と外部電源との間に電子通信を確立するための手段をさらに備える、請求項１１に記載のファッションアクセサリ。
【請求項１３】
前記外部電源が、たばこのライターアダプタ、壁コンセントおよび太陽電源から成る群から選択される、請求項１２に記載のファッションアクセサリ。
【請求項１４】
内部ファッションアクセサリ電力出口をさらに備える、請求項１１に記載のファッションアクセサリ。
【請求項１５】
前記充電可能電源と電子デバイスとの間に電子通信を確立するための手段をさらに備える、請求項１４に記載のファッションアクセサリ。
【請求項１６】
前記電子デバイスが、ＭＰ３プレーヤ、個人情報端末および携帯電話から成る群から選択される、請求項１５に記載のファッションアクセサリ。
【請求項１７】
前記デュアル照明光源が、前記第１の照明光源および前記第２の照明光源のいずれもが前記ファッションアクセサリにおけるヒンジを横切らないように構成されている、請求項１に記載のファッションアクセサリ。
【請求項１８】
照明デバイスを有するファッションアクセサリを組み立てる方法であって、
第１の照明光源および第２の照明光源を含むデュアル照明光源と、
二股ワイヤによって該デュアル照明光源に電気的に結合されている電源と、
該照明光源に電気的に結合されているスイッチと
を含む照明デバイスを提供することと、
該デュアル照明光源を該ファッションアクセサリの裏地に取り付けることと、
該デュアル照明光源の一部の周りに該ファッションアクセサリのフレームを機械密閉することと
を包含する、方法。
【請求項１９】
前記デュアル照明光源が、電気ルミネセントワイヤの対を含む、請求項１８に記載の方法。
【請求項２０】
前記デュアル照明光源を前記ファッションアクセサリの前記裏地に取り付けることが、該デュアル照明光源を、前記第１の照明光源および前記第２の照明光源のいずれもが該ファッションアクセサリにおけるヒンジを横切らないように構成することをさらに含む、請求項１８に記載の方法。
【発明の詳細な説明】
【技術分野】
【０００１】
本発明は、ファッションアクセサリに関し、より詳細には、そのファッションアクセサリを照らす方法および装置に関する。
【背景技術】
【０００２】
個人は、しばしば、その個人の所持品を運ぶために任意の数の携帯用ファッションアクセサリを利用する。例えば、多数の女性は、パース（ｐｕｒｓｅ）またはポケットブック（ｐｏｃｋｅｔｂｏｏｋ）を持ち運び、かつ現代のトレンドでは、従来のブリーフケースおよびアタッシュを越える、男性のための同様のアクセサリの数における発展が見られた。様々なアイテムがそのようなアクセサリ内に格納され得、かつ含まれ得るが、適切な照明なしでは、これらのアクセサリ内における特定のアイテムを見つけることは、困難でもあり苛立だしくもあり得る。
【発明の開示】
【課題を解決するための手段】
【０００３】
本発明の実施形態は、ファッションアクセサリの内部を照らすための装置および方法を提供する。本発明の照明デバイスは、デバイスの見える範囲を減少させるためにファッションアクセサリの裏地によって少なくとも部分的に隠され得、それによって、魅力的な最終製品を提供する。さらに、照明は、ファッションアクセサリの内部の周囲の少なくとも一部に縫い付けられるか、他の方法で貼り付けられる照明光源によって提供され得る。例えば、照明光源は、ファッションアクセサリの裏地に縫い付けられ得、および／またはファッションアクセサリのフレームによってファッションアクセサリに固定され得る。さらに、この照明は、本発明の代替の実施形態に説明される様々な光源のうちの１つの選択のもとで、任意の数の色において提供され得る。照明光源は、例えば、エレクトロルミネセントワイヤの束を単一電源に結合する二股ワイヤと電子通信しているエレクトロルミネセントワイヤの２つの束のような、デュアル照明光源にもなり得る。
【０００４】
本発明のさらなる実施形態は、アクセサリが開いている場合、「オン」の位置にスイッチし、逆にアクセサリが閉じられている場合、「オフ」の位置にスイッチする、ファッションアクセサリの内部を照らすためにデバイスを提供する。
【０００５】
本発明のさらなる実施形態は、照明光源と電子通信している充電可能電池を充電するために使用され得る充電アセンブリを提供する。充電アセンブリは、たばこのライターアダプタ、壁コンセント、太陽電源等から外部電力を受け取るように構成され得る。充電アセンブリは、ＭＰ３プレーヤ、個人情報端末（「ＰＤＡ」）、携帯電話または他の電子デバイスのような電子デバイスに電力を供給するために用いられ得る内部ファッションアクセサリ電力出口をさらに含み得る。
【発明を実施するための最良の形態】
【０００６】
本発明の実施形態は、ファッションアクセサリの内部を照らすための照明デバイスを提供する。そのような照明は、人がそのアクセサリの中に含まれる特定のアイテムを見つけることをより便利にし得る。それは、そうでない場合、周囲光の状況が人がアクセサリの中身の中で視覚的に識別するのに困難を有し得る場合に特に便利にし得る。例えば、本発明の照明デバイスの実施形態は、人が、薄暗く照らされた部屋においてハンドバッグの中の特定のアイテムを捜す場合、または夜に駐車場で同様のハンドバッグの中の車のキーを捜そうとしている場合に有用になり得る。
【０００７】
本発明の照明デバイスは、ファッションアクセサリに対する新しくてファッショナブルな質を与えるという更なる利点を有する。なぜなら、代替の実施形態においては、照明光源は、一連の色から選択され得るからである。従って、照らされた場合、ファッションアクセサリの内部は、選択された色を有して照らされ得るか、または輝き得る。例えば、本発明の一実施形態においては、パースの内部は、対応する照明光源が選択された場合、青の色合いの光を用いて照らされ得る。
【０００８】
さらに、本発明の代替の実施形態においては、照明装置の少なくとも一部は、ファッションアクセサリの裏地または他の同様の部分において視界から隠され得、従って、照明効果を提供することを担うメカニズムを見るという個人の能力を最小化または消去する。これは、本発明の実施形態がファッションアクセサリに含まれ得る限り、特に有意になり得る。ここで、ファッションアクセサリにおいては、人は、視界から照明デバイスの様々な要素（例えば、配線、電源）を、実現可能な範囲の最も高い程度で分かりにくくすることを好む傾向がある。従って、本発明の好ましい実施形態においては、照明光源および照明光源を制御するスイッチは、ファッションアクセサリを開ける際に目で見る一方、照明デバイスの残りの要素は、実質的に視界から隠されたままである。
【０００９】
本発明の実施形態に従った使用に適したファッションアクセサリは、当業者にすぐに認識されるであろう、パース、ハンドバッグ、ポケットブック、札入れ、バックパック、ブリーフケース、学生がばん、小型旅行かばん、スーツケース、サングラスまたは化粧道具のためのケースおよび任意の他の適したファッションアクセサリを含むが、それらに限定されない。好ましい実施形態においては、ファッションアクセサリは、パース、ハンドバッグまたはポケットブックである。
【００１０】
本発明の実施形態に従った使用に適した照明光源は、電気ルミネセンスワイヤ、光ファイバ照明光源、電球等のような管状照明メカニズムを含むが、それらに限定されない。本発明の一実施形態においては、照明光源は、Ｅｌａｍ  Ｅｌｅｃｔｒｏｌｕｍｉｎｅｓｃｅｎｔ  Ｉｎｄｕｓｔｒｉｅｓ，Ｌｔｄ．（Ｊｅｒｕｓａｌｅｍ，Ｉｓｒａｅｌ）の商標名ＬＹＴＥＣ（登録商標）の下で利用可能である電気ルミネセンスワイヤである。
【００１１】
図１を参照すると、本発明の一実施形態においては、ファッションアクセサリ１００は、電源１０２に電気的に結合されている照明光源１０１を含む。本発明の実施形態に従った使用に適した電源１０２は、電池、太陽電池等を含むが、それらに限定されない。本発明の好ましい実施形態においては、電源１０２は電池を含み、かつ最も好ましい実施形態においては、電源１０２は２つのＡＡ電池を含む。本発明の電源１０２が、照明光源１０１の電気的要件により、十分な力を提供するように必要に応じて選択され得ることが当業者にすぐに明らかになるであろう。
【００１２】
本発明の代替の実施形態においては、図８に示されるように、電源１０２は、たばこのライターアダプタ、壁コンセント、太陽電源、または外部電力の任意の他の適したソースのような外部電源２０１から外部電力を受け取る（例えば、充電する）ように構成され得る、充電可能電源１０２Ａになり得る。電子通信は、アダプタジャック２０２，２０３の対によって、充電可能電源１０２Ａと外部電源２０１との間で確立され得る。第１のアダプタジャック２０２は、外部からアクセスできるアクセサリ上の位置のような便利な位置においてファッションアクセサリ上に構成され得るか、または外部の視界からファッションアクセサリを隠すことを補助するようにファッションアクセサリの内部上に構成され得る。電力変換器２０４は、充電可能電源１０２Ａと、アダプタジャック２０２，２０３の対との間に含まれ得る。第２のアダプタジャック２０３は、第２のアダプタジャック２０３と外部電源２０１との間の電子通信のための手段を含む別個のアセンブリにおいて構成され得る。
【００１３】
さらに、充電アセンブリは、ＭＰ３プレーヤ、個人情報端末（「ＰＤＡ」）、携帯電話または他の電子デバイスのような電子デバイスに電力を供給するために使用され得る内部ファッションアクセサリ電力出口２０５を含み得る。内部ファッションアクセサリ電力出口２０５は、ファッションアクセサリの内部上に構成され得、かつ内部ファッションアクセサリ電力出口２０５と、充電可能電源１０２Ａによって力が供給された電子デバイスとの間に電子通信を提供するための手段を含み得る。
【００１４】
照明光源１０１は、ファッションアクセサリ１００が開いている場合、照明光源が「オン」の位置にあり、ファッションアクセサリ１００が閉じらている場合、「オフ」の位置にあるように照明光源１０１を制御するスイッチ１０３にさらに電気的に結合され得る。本発明のスイッチ１０３は、照明光源１０１の「オン」および「オフ」状態を制御するように動作する任意の適したスイッチ１０３になり得るが、好ましい実施形態においては、スイッチ１０３は、磁気リードスイッチである。本発明の実施形態において使用される磁気リードスイッチは、図１に例示的に示されるように、２つの要素を含み得る。第１の要素１１１は、電源１０２に電気的に結合され得、かつ第２の要素１１２は、第１の要素１１１と磁気接触している場合もある。本発明の好ましい実施形態においては、第１の要素１１１および第２の要素１１２は、ファッションアクセサリ１００が閉じられている場合、要素１１１，１１２が互いに磁気接触していて、かつファッションアクセサリ１００が開いている場合、互いから離されるように、ファッションアクセサリ１００の開口部１０８に貼り付けられるか、他の方法で取り付けられる。そのような実施形態においては、ファッションアクセサリ１００が開いている場合、２つの要素１１１，１１２は好ましくは、スイッチ１０３が照明光源１０１を作動させるために機能するように、互いから十分に離れた距離に離れる。
【００１５】
照明光源１０１、電源１０２およびスイッチ１０３は、ワイヤ１０４のような任意の適したメカニズムによって電気的に結合され得るが、そのような電気結合を提供するための他のメカニズムも、当業者にすぐに明らかになるであろう。本発明の一実施形態においては、ワイヤ１０４は、接合部１１０を含む。ここで、ワイヤ１０４は、接合部１１０の一つ端部におけるスイッチ１０３および接合部１１０のもう一方の端部における照明光源１０１に届くように分裂する。
【００１６】
図１にさらに示されるように、本発明の代替の実施形態においては、インバータ１０９は、電源１０３と照明光源１０１との間に含まれ得る。インバータ１０９は、照明光源１０１に適切な量の電力を提供するように電力レベルを調節し得る。本発明の代替の実施形態においては、インバータ１０９は、接合部１１０と照明光源１０１（図示されず）との間に含まれ得るが、インバータ１０９は、図１において、電源１０３と接合部１１０との間に例示的に示される。
【００１７】
図５に示されるように、本発明の代替の実施形態においては、照明光源１０１は、デュアル照明光源１０１Ａになり得る（例えば、エレクトロルミネセントワイヤ３０１，３０２の束を単一電源１０２に結合する二股ワイヤ３０３と電子通信しているエレクトロルミネセントワイヤ３０１，３０２の２つの束）。磁気スイッチ１０３およびインバータ１０９は、本発明のこの実施形態にさらに含まれ得る。図６に示されるように、特にファッションアクセサリ１００がパースであった場合、照明デバイスのこの構成は、ファッションアクセサリ１００における開口部の対向面に、ファッションアクセサリ１００におけるエレクトロルミネセントワイヤ３０１，３０２の２つの束の各々を含むことを可能にする。より詳細に、エレクトロルミネセントワイヤ３０１，３０２の束の各々は、エレクトロルミネセントワイヤ３０１，３０２のいずれもの束の部分が、ファッションアクセサリ１００のヒンジ３０４または他の移動可能な要素を横切らないように構成されるように、ファッションアクセサリ開口部の別個の面に含まれ得る。むしろ、二股ワイヤ３０３は、ヒンジ３０４を横切るように構成され得る。この実施形態においては、単一電源１０２は、ファッションアクセサリが開いている場合、単一電源１０２を視界から見えなくするためにポケット３０５に隠されているように示される。様々な実施形態においては、ポケット３０５は、単一電源１０２への容易なアクセスを可能にするために（例えば、そこにある電池を変えるために）、チャック閉鎖等を含み得る。
【００１８】
エレクトロルミネセントワイヤは柔軟であり、例えば、ファッションアクセサリ内の設置のために特定の形状に曲げられることを可能にする。しかしながら、エレクトロルミニセントワイヤは、そこにあるフィラメントが壊れ得るため、繰り返される曲げに耐えられない傾向がある。従って、エレクトロルミネセントワイヤがパースまたは他のファッションアクセサリのヒンジを横切った場合、かつパースまたは他のファッションアクセサリが繰り返し開けられ閉じられた場合（例えば、通常使用の過程の間）、ワイヤは壊れ得るか、またはその機能は最適状態に及ばなくなり得る。従って、本発明のこの特定の実施形態においては、エレクトロルミネセントワイヤは繰り返し曲げられない。代わりに、エレクトロルミネセントワイヤは、設置の始めにおいてのみ曲げられる。その後、二股ワイヤのみが曲げられる。これは、ファッションアクセサリの耐久性を著しく改良し得、かつ照明デバイスの寿命を延ばし得る。
【００１９】
図２に示されるように、電源１０２、インバータ１０９およびワイヤ１０４は、ファッションアクセサリ１００の中に含まれ得るが、ファッションアクセサリ１００の壁１０５と裏地１０６との間にさらに構成され得る。電源１０２、インバータ１０９およびワイヤ１０４のこの構成は、ファッションアクセサリ１００が開いている場合、視界からこれらの要素を見えなくし得る。さらに、照明光源１０１は、ファッションアクセサリ１００に縫い付けられるか、他の方法で貼り付けられ得る。本発明の一実施形態においては（すなわち、ファッションアクセサリ１００がパースである）、照明光源１０１は、裏地１０６の周囲にてファッションアクセサリ１００に縫い付けられるか、他の方法で貼り付けられ得る（好ましくは、裏地１０６と壁１０５との間の境界において、またはその近くで）。縫い付け１０７は、この様式において照明光源１０１をファッションアクセサリ１００に固定するために含まれ得る。代替的にまたはさらに、照明光源１０１は、図７に示されるように、照明光源１０１の出っ張りの周りにファッションアクセサリのフレーム４０１を機械密閉（例えば、クリンピング）することによってファッションアクセサリ１００に固定され得る。
【００２０】
本発明のスイッチ１０３は、ファッションアクセサリ１００の開口部１０８において含まれ得るか、またはその近くに含まれ得る。図１に例示的に示されるように、スイッチ１０３は、ファッションアクセサリ１００の開口部１０８において含まれる。ファッションアクセサリ１００が開いている場合、スイッチ１０３は、照明光源１０１が照ることをもたらし、ファッションアクセサリ１００が閉じられている場合、スイッチ１０３は、照明光源１０１がオフにされることをもたらす。ファッションアクセサリ１００の全体の構成およびそれに含まれる本発明の実施形態の残りの要素に依存して、スイッチ１０３は、実質的に視界から見えなくなり得る。しかしながら、図４に例示的に示される実施形態においては、一個人は、スイッチ１０３に気付き得る。従って、本発明の所定の実施形態においては、より詳細には、ファッションアクセサリ１００が開位置にある場合、スイッチ１０３が目に見えるように構成されている実施形態においては、比較的小さいスイッチ１０３を選択することが望まれ得る。
【００２１】
上記の説明が本発明の特定の実施形態に関する一方、多数の修正がその精神から逸脱せずに行われ得ることが理解されるであろう。添付の特許請求の範囲は、本発明の真の範囲および精神内に入るようにそのような修正を包含することを意図する。現在開示されている実施形態は、従って、あらゆる点において限定的ではなく例示的であると考慮されるべきであり、発明の範囲が前述の説明よりむしろ添付の特許請求の範囲によって示されていて、かつ特許請求の範囲の均等物の意味および範囲内に入る全ての変更が、従って、その中に含まれることが意図される。
【図面の簡単な説明】
【００２２】
【図１】図１は、本発明の一実施形態に従う、照明デバイスを含むファッションアクセサリの斜視図を示す。ファッションアクセサリは、開位置において示される。
【図２】図２は、本発明の一実施形態に従う、照明デバイスを含むファッションアクセサリの斜視図を示す。照明デバイスの様々な要素は、ファッションアクセサリの裏地によって視界から見えないようになっている。ファッションアクセサリは、開位置において示される。
【図３】図３は、ファッションアクセサリにおける設置の前の、本発明の一実施形態に従う照明デバイスを示す。
【図４】図４は、本発明の一実施形態に従う、照明デバイスを含むファッションアクセサリの斜視図を示す。ファッションアクセサリは、閉位置において示される。
【図５】図５は、ファッションアクセサリにおける設置の前の、本発明の一実施形態に従うデュアル照明光源を有する照明デバイスを示す。デュアル照明光源は、単一電源と電子通信している二股ワイヤとさらなる電子通信している。
【図６】図６は、本発明の一実施形態に従うファッションアクセサリの平面図を示す。ファッションアクセサリは、デュアル照明光源、およびファッションアクセサリの裏地に縫い付けられている電池パックホルダにおける電池パックを含む。
【図７】図７は、本発明の一実施形態に従う、ファッションアクセサリへのエレクトロルミネセントワイヤの実装の組立分解図を示す。エレクトロルミネセントワイヤの軸の長さに沿って走るエレクトロルミネセントの出っ張りは、ファッションアクセサリの裏地の端部に固定されていて（例えば、縫い付けられて）、該端部の周りにファッションアクセサリのフレームがその後にしっかり固定される（例えば、クリンピングによって）。
【図８】図８は、本発明の一実施形態に従う充電アセンブリを示す。
【図１】
2008516738.tif 000003
【図２】
2008516738.tif 000004
【図３】
2008516738.tif 000005
【図４】
2008516738.tif 000006
【図５】
2008516738.tif 000007
【図６】
2008516738.tif 000008
【図７】
2008516738.tif 000009
【図８】
2008516738.tif 000010
【国際調査報告】
2008516738.tif 000011
2008516738.tif 000012